(57)【要約】【目的】携帯端末装置のスケジュール機能において、登録されたスケジュールを任意に設定された事前の時間、または任意に設定された事前の時間から任意に設定された時間間隔で報知する事により忘れていたスケジュールの急な対応を回避すること目的としている。【解決手段】携帯端末装置において、操作部より入力されたスケジュール設定時間のデータに基づき、制御部が記憶部に予め設定された事前報知時間に対応して前記スケジュール設定時間到達前に、または、設定時間到達前から、前記記憶部に予め設定された時間間隔で鳴動部及び表示部の少なくともどちらか一方を用いて報知動作を行う事により、課題を解決する事ができる。【代表図】図１
2004064099.tif 000002
【特許請求の範囲】
【請求項１】
データを入力する操作部と、信号処理及び表示や鳴動の制御を行う制御部と、前記制御部における処理プログラムを記憶する記憶部と、前記制御部からの電気信号を音声に変換する鳴動部と、前記制御部からの電気信号を表示データとして変換し表示する表示部とを有する携帯端末装置において、
前記操作部より入力されたスケジュール設定時間のデータに基づき、前記制御部が前記記憶部に予め設定された事前報知時間に対応して前記スケジュール設定時間到達前に、前記鳴動部及び前記表示部の少なくともどちらか一方を用いて報知動作を行う事を特徴とする事前スケジュール予告機能を有する携帯端末装置。
【請求項２】
データを入力する操作部と、信号処理及び表示や鳴動の制御を行う制御部と、前記制御部における処理プログラムを記憶する記憶部と、前記制御部からの電気信号を音声に変換する鳴動部と、前記制御部からの電気信号を表示データとして変換し表示する表示部とを有する携帯端末装置において、
前記操作部より入力されたスケジュール設定時間のデータに基づき、前記制御部が前記記憶部に予め設定された事前報知時間に対応して前記スケジュール設定時間到達前から、前記記憶部に予め設定された時間間隔で前記鳴動部及び前記表示部の少なくともどちらか一方を用いて報知動作を行う事を特徴とする事前スケジュール予告機能を有する携帯端末装置。
【発明の詳細な説明】
【０００１】
【発明の属する技術分野】
本発明はスケジュール機能を有する携帯端末装置について、特にスケジュール報知方法に関するものである。
【０００２】
【従来の技術】
近年、携帯端末装置が普及して来ているが、特に例を挙げれば携帯無線端末装置の普及は群を抜いている。普及している理由としては、何時でも、何処でも、誰とでも連絡が取れる事があげられる。また、携帯無線端末装置の機能はどんどん高機能化しており、話すだけではなく、常に携帯している事から情報収集端末として携帯無線端末装置をスケジュール管理のための携帯端末装置に利用する傾向にある。主に、ビジネスマンなどは、高機能化した携帯端末装置のスケジュール機能を利用し、日々にスケジュール管理に使用している割合も高くなってきている。ただ、設定されたスケジュールについて確認したい場合等は、通常の表示画面からキー操作によってスケジュール機能画面へ遷移させる必要が有り、操作面において煩わしい面が有るのが実状である。
【０００３】
この様な煩わしさを改善するために、従来技術としては予め設定されたスケジュールに対応し、設定されたスケジュールを表示画面に表示させておく機能や、スケジュールに設定された予定の時間になると鳴動などにより報知を行う機能も搭載された携帯端末装置も有る。
【０００４】
【発明が解決しようとする課題】
しかしながら、上記従来技術では、複数のスケジュールがある場合に全てのスケジュールを表示画面に表示できず見逃してしまったり、予定の時刻になるまで鳴動動作を行わないため、忘れていた場合などには急な報知を受けても、時間に間に合わないなどの問題点が有った。
【０００５】
本発明はこのような従来の問題を解決する、携帯端末装置を提供することを目的とする。
【０００６】
【課題を解決するための手段】
上記従来の問題点を解決するための第一の本発明は、データを入力する操作部と、信号処理及び表示や鳴動の制御を行う制御部と、前記制御部における処理プログラムを記憶する記憶部と、前記制御部からの電気信号を音声に変換する鳴動部と、前記制御部からの電気信号を表示データとして変換し表示する表示部とを有する携帯端末装置において、前記操作部より入力されたスケジュール設定時間のデータに基づき、前記制御部が前記記憶部に予め設定された事前報知時間に対応して前記スケジュール設定時間到達前に、前記鳴動部及び前記表示部の少なくともどちらか一方を用いて報知動作を行う事を特徴とする携帯端末装置を提供する。
【０００７】
上記従来の問題点を解決するための第二の本発明は、データを入力する操作部と、信号処理及び表示や鳴動の制御を行う制御部と、前記制御部における処理プログラムを記憶する記憶部と、前記制御部からの電気信号を音声に変換する鳴動部と、前記制御部からの電気信号を表示データとして変換し表示する表示部とを有する携帯端末装置において、前記操作部より入力されたスケジュール設定時間のデータに基づき、前記制御部が前記記憶部に予め設定された事前報知時間に対応して前記スケジュール設定時間到達前から、前記記憶部に予め設定された時間間隔で前記鳴動部及び前記表示部の少なくともどちらか一方を用いて報知動作を行う事を特徴とする携帯端末装置を提供する。
【０００８】
【発明の実施の形態】
次に、本発明の実施の形態について、図面を参照しながら説明する。
図１は本発明のブロック図であり、図２及び図３は事前スケジュール予告機能の概略及び詳細であり、図４はスケジュール追加方法であり、図５は本発明のイメージ画像である。
【０００９】
尚、以下で説明する機能実現手段は、当該機能を実現できる手段であれば、どのような回路または装置であっても構わず、また機能の一部または全部をソフトウェアで実現することも可能である。さらに、機能実現手段を複数の回路によって実現してもよく、複数の機能実現手段を単一の回路で実現してもよい。
【００１０】
図１は、本発明における携帯端末装置であって、特に携帯無線端末装置のハードウェアの構成図である。図１に示すように、本装置の基本的な構成は従来の携帯無線端末装置とほぼ同様であり、無線信号の送受を行なう無線部１と、通話に伴なう信号処理及び表示や鳴音等の制御を行なう制御部２と、利用者が文字データを入力する操作部３と、制御部２における処理プログラムを記憶する記憶部４と、入力された文字データを表示する表示部５と、音声を電気信号に変換するマイク６と、電気信号を音声に変換するサウンダ部７と、ユーザに着信などを報知するための鳴動を行うスピーカ部８から構成されている。
【００１１】
図２は、本発明の事前スケジュール予告機能の概略フローである。まずスケジュール設定ありかどうかの判定処理をおこなう（Ｓ２０２）。スケジュール設定がない場合は本動作処理を終了する。スケジュール設定が有る場合で、事前スケジュール予告機能設定があるかどうかの判定を行う（Ｓ２０３）。事前スケジュール予告機能設定がない場合は、本動作処理を終了する。事前スケジュール予告機能が設定されている場合は、事前スケジュール予告設定時間のチェックをおこなう（Ｓ２０４）。事前スケジュール予告の設定時間に一致している場合は事前予告動作処理をおこなう（Ｓ２０５）。事前スケジュール予告時間に到達していない場合は、事前スケジュール予告時刻チェックをおこなう。事前スケジュール予告動作処理後、未だ予告動作があるかどうかのチェック（Ｓ２０６）をおこない、予告通知が有る場合は事前スケジュール予告通知時間のチェック処理をおこない、予告動作がない場合は本動作処理を終了する。
【００１２】
さらに、図３は事前スケジュール予告機能動作の詳細フローを示している。予告時間と一致した場合、まず表示、あるいは音でユーザに通知するかのチェックをおこなう（Ｓ３０２）。表示と音の両方の場合は、表示装置に対し事前スケジュール予告の旨の表示と警告音出す（Ｓ３０４）。表示のみの場合は、表示装置に対し事前スケジュール予告の旨のみの表示をおこなう（Ｓ３０７）。音のみの場合は、事前スケジュール予告の警告音のみの処理をおこなう（Ｓ３０８）。
【００１３】
図４はスケジュールを追加された場合の概略フローを示している。まずスケジュール設定機能にてスケジュール設定され（Ｓ４０２）、当日に設定されたかどうかのチェックを行う（Ｓ４０３）。当日に設定されている場合は、事前予告通知動作があるかどうかのチェック（Ｓ４０５）をおこない、事前予告通知設定がされている場合は図１で説明した、事前スケジュール予告機能の動作処理へ移行する。
【００１４】
図５は本発明の画面イメージである。まず現在の待ち受け画面イメージを（５０１）に示す。また本発明の予告スケジュール機能を設定するか否かをおこなう設定イメージを（５０２）に示す。スケジュール予告機能を設定した場合の予告時刻設定（５０３）でスケジュールを予告する時刻を設定し、スケジュールを予告する間隔（５０４）を設定することで、（５０５）のイメージに示すとおり、設定時間間隔にスケジュール予告を行うことでユーザに対し、ユーザ設定したスケジュールに近いことを促す。
【００１５】
【発明の効果】
本発明によれば、ユーザが設定したスケジュールに対して事前に予告警告を行うことで、例えば打合せの際の資料準備や、打合せが遠方で行われる際など事前にスケジュール設定した時間が近い事をユーザは携帯端末装置の報知動作により認識する事ができる。
【図面の簡単な説明】
【図１】本実施例のブロック図
【図２】本実施例の事前スケジュール予告機能概略フローチャート
【図３】本実施例の事前スケジュール予告機能詳細フローチャート
【図４】本実施例のスケジュールの追加機能の概略フローチャート
【図５】本実施例の表示画像イメージ
【符号の説明】
１…無線部，２…制御部，３…操作部，４…記憶部，５…表示部　，６…マイク，７…サウンダ部，８…スピーカ部
【図１】
2004064099.tif 000003
【図２】
2004064099.tif 000004
【図３】
2004064099.tif 000005
【図４】
2004064099.tif 000006
【図５】
2004064099.tif 000007